(57)【特許請求の範囲】
【請求項１】
熱放射防止測定棒（１）と、外部コントロールボードに接続されるサーミスタ（２）とを含む熱放射防止ＮＴＣ温度センサであって、
前記熱放射防止測定棒（１）は、金属部品（１８）と射出成形部品（１７）を含み、
前記金属部品（１８）は、射出成形部品（１７）の軸心に嵌め込み、
サーミスタは、金属部品（１８）の内壁に密着し、そのピンが金属部品を被包した射出成形部品のバックエンドから引き出され、
前記金属部品（１８）は、射出成形部品（１７）の上面に位置し、
前記熱放射防止測定棒（１）の測温面の直径は、４０ｍｍより小さく３ｍｍより大きく、
金属部品の上端面の厚さは０ｍｍより大きく４ｍｍより小さく、
前記射出成形部品（１７）の末端には、ねじ山または取付けリングがある、
ことを特徴とする熱放射防止ＮＴＣ温度センサ。
【請求項２】
熱放射防止測定棒（１）と、金属上蓋（２１）と、絶縁ゴムパッド（２２）と、外部コントロールボードに接続されるサーミスタ（２）とを含む熱放射防止ＮＴＣ温度センサであって、
前記熱放射防止測定棒は、左部分（１Ａ）と右部分（１Ｂ）を含み、
左部分（１Ａ）と右部分（１Ｂ）は係止具によって接続され、
熱放射防止測定棒（１）には、絶縁ゴムパッド（２２）が貼り付けられており、
金属上蓋（２１）の内側には、絶縁フィルム（２４）が貼り付けられており、
絶縁フィルム（２４）は、金属上蓋（２１）と絶縁ゴムパッド（２２）との間に位置し、
サーミスタ（２）は、絶縁ゴムパッド（２２）と絶縁フィルム（２４）との間に位置し、
前記金属上蓋（２１）は、厚さが４ｍｍより小さく、長さが３０ｍｍより小さく、
絶縁ゴムパッドは、厚さが８ｍｍより小さい、
ことを特徴とする熱放射防止ＮＴＣ温度センサ。
【請求項３】
前記サーミスタは、ダイオード型サーミスタ、シングルエンドガラス封止型サーミスタ、またはダイ型サーミスタである、
ことを特徴とする請求項１または２に記載の熱放射防止ＮＴＣ温度センサ。
【請求項４】
前記熱放射防止測定棒（１）は、周方向に設けられ、ばねの動き範囲を制限するためのストップリング（７）をさらに含む、
ことを特徴とする請求項１または２に記載の熱放射防止ＮＴＣ温度センサ。
【請求項５】
上ケース（３）と、上ケース（３）に着脱可能に接続される下ケース（４）と、請求項２に記載の熱放射防止ＮＴＣ温度センサとを含む、鍋底に使用可能の熱放射防止ＮＴＣ温度センサであって、
前記熱放射防止測定棒（１）は、上ケース（３）と下ケース（４）によって形成された収納室（１２）内に可動的に係止されており、
前記熱放射防止測定棒（１）の外周には、ばね（６）がネスティングされており、
前記熱放射防止測定棒（１）の末端には、金属クランプ（１３）が取り付けられており、
金属クランプ（１３）は、熱放射防止測定棒（１）と緊密に掛かり合い、
金属クランプ（１３）は、接地線に接続される接地用プラグを有する、
ことを特徴とする熱放射防止ＮＴＣ温度センサ。
【請求項６】
上ケース（３）と、上ケース（３）に着脱可能に接続される下ケース（４）と、熱放射防止ＮＴＣ温度センサとを含む、鍋底に使用可能の熱放射防止ＮＴＣ温度センサであって、
前記熱放射防止ＮＴＣ温度センサは、熱放射防止測定棒（１）と、外部コントロールボードに接続されるサーミスタ（２）とを含み、
前記熱放射防止測定棒（１）は、金属部品（１８）と射出成形部品（１７）を含み、
前記金属部品（１８）は、射出成形部品（１７）の中心に嵌め込み、
金属部品（１８）の上端面と射出成形部品（１７）の上端面は、同一測温面に位置し、
射出成形部品（１７）は、金属部品（１８）の測温面以外の部分を完全に被包し、
サーミスタは、金属部品（１８）の内壁に密着し、そのピンが金属部品を被包した射出成形部品のバックエンドから引き出され、
前記熱放射防止測定棒（１）の測温面の直径は、４０ｍｍより小さく３ｍｍより大きく、
前記金属部品（１８）は、ステンレス、鉄、銅、アルミニウム、または合金からなり、
前記射出成形部品（１７）は、プラスチック、セラミックス、ベークライト、絶縁板、またはガラスからなり、
前記熱放射防止測定棒（１）は、上ケース（３）と下ケース（４）によって形成された収納室（１２）内に可動的に係止されており、
前記熱放射防止測定棒（１）の外周には、ばね（６）がネスティングされており、
前記熱放射防止測定棒（１）の末端には、金属クランプ（１３）が取り付けられており、
金属クランプ（１３）は、熱放射防止測定棒（１）と緊密に掛かり合い、
金属クランプ（１３）は、接地線に接続される接地用プラグを有する、
ことを特徴とする熱放射防止ＮＴＣ温度センサ。
【請求項７】
前記上ケース（３）は、絶縁材料からなり、その厚さが１０ｍｍより小さく１ｍｍより大きいもの、または、金属材質からなり、その厚さが３ｍｍより小さく０．１ｍｍより大きいものである
ことを特徴とする請求項５または６に記載の熱放射防止ＮＴＣ温度センサ。
【請求項８】
前記熱放射防止ＮＴＣ温度センサと上ケース（３）の間には隙間があり、前記隙間は０．１ｍｍより大きく１５ｍｍより小さい、
ことを特徴とする請求項５または６に記載の熱放射防止ＮＴＣ温度センサ。
【請求項９】
円形状または角形状の磁石ブロック（１６）をさらに含み、
前記下ケース（４）の内壁には、磁石ブロックを固定するための固定溝（１５）が設けられており、
サーミスタ（２）に接続されるリードスイッチ（１４）をさらに含む、
ことを特徴とする請求項５または６に記載の熱放射防止ＮＴＣ温度センサ。
【発明の詳細な説明】
【技術分野】
【０００１】
本発明は、温度センサに関し、特に、熱放射防止ＮＴＣ温度センサおよびその応用に関する。
【背景技術】
【０００２】
ＮＴＣ温度センサは、導体や半導体の電気抵抗が温度によって変化する原理を用いて温度を測定するセンサである。ＮＴＣ温度センサと発熱源付きの平面被測定物の温度測定精度を向上させるために、ＮＴＣ温度センサのケースは１つの平面に設計されており、その中でサーミスタがＮＴＣ温度センサのケースに密着するかどうかは、ＮＴＣ温度センサの応答速度の速さに影響を与える要因である。従来のＮＴＣ温度センサは、サーミスタ用エポキシ樹脂を一般的な金属ケースにポッティングするものであり、このようなポッティング形態は、幾つか足りないところがあり、例えば、サーミスタがケースの内壁に密着することを保証できず、熱伝導の効果が良くないため、ＮＴＣ温度センサが外部の温度の変化を如実に反応することを保証できない。また、従来のＮＴＣ温度センサは、物の温度を測定する際に、被測定物の周囲の熱源から放射された熱がＮＴＣ温度センサの測定結果に影響を与えて、測定結果が不正確になるおそれがある。
【発明の概要】
【発明が解決しようとする課題】
【０００３】
本発明は、上記した従来の問題を解決し、熱放射防止ＮＴＣ温度センサおよびその応用を提供することを目的とする。
【課題を解決するための手段】
【０００４】
本発明の態様は、熱放射防止測定棒と、金属上蓋と、絶縁ゴムパッドと、外部コントロールボードに接続されるサーミスタとを含む熱放射防止ＮＴＣ温度センサであって、前記熱放射防止測定棒が左部分と右部分を含み、左部分と右部分が係止具によって接続され、熱放射防止測定棒に絶縁ゴムパッドが貼り付けられており、金属上蓋の内側に絶縁フィルムが貼り付けられており、絶縁フィルムが金属上蓋と絶縁ゴムパッドとの間に位置し、サーミスタが絶縁ゴムパッドと絶縁フィルムとの間に位置する、熱放射防止ＮＴＣ温度センサである。
【０００５】
本発明の他の態様は、熱放射防止測定棒と、金属部品と、射出成形部品と、外部コントロールボードに接続されるサーミスタとを含む熱放射防止ＮＴＣ温度センサであって、前記金属部品が射出成形部品の中心に嵌め込み、金属部品の上端面と射出成形部品の上端面が同一面に位置し、射出成形部品が金属部品の測温面以外の部分を完全に被包し、サーミスタは、金属部品の内壁に密着し、そのピンが金属部品を被包した射出成形部品のバックエンドから引き出され、熱放射防止測定棒の測温面の直径は、４０ｍｍより小さく３ｍｍより大きく、前記金属部品がステンレス、鉄、銅、アルミニウムまたは合金からなり、射出成形部品がプラスチック、セラミックス、ベークライト、絶縁板またはガラスからなる、熱放射防止ＮＴＣ温度センサである。
【０００６】
本発明のさらに他の態様は、熱放射防止測定棒と、金属部品と、射出成形部品と、外部コントロールボードに接続されるサーミスタとを含む熱放射防止ＮＴＣ温度センサであって、サーミスタは、金属部品の内壁に密着し、そのピンが金属部品を被包した射出成形部品のバックエンドから引き出され、前記金属部品が射出成形部品の軸心に嵌め込み、金属部品が射出成形部品の上面に位置し、熱放射防止測定棒の測温面の直径は、４０ｍｍより小さく３ｍｍより大きく、金属部品の上端面の厚さは０ｍｍより大きく４ｍｍより小さく、前記射出成形部品の末端にはねじ山または取付けリングがある、熱放射防止ＮＴＣ温度センサである。
【０００７】
好ましい態様では、前記サーミスタは、ダイオード型サーミスタ、シングルエンドガラス封止型サーミスタまたはダイ型サーミスタである。
【０００８】
好ましい態様では、前記熱放射防止測定棒は、周方向に設けられ、ばねの動き範囲を制限するためのストップリングをさらに含む。
【０００９】
好ましい態様では、前記金属上蓋は、厚さが４ｍｍより小さく、長さが３０ｍｍより小さく、絶縁ゴムパッドは、厚さが８ｍｍより小さい。
【００１０】
本発明のさらに他の態様は、上ケースと、上ケースに着脱可能に接続される下ケースと、熱放射防止ＮＴＣ温度センサとを含むマルチ熱放射防止ＮＴＣ温度センサ（鍋底に使用可能）であって、熱放射防止測定棒が、上ケースと下ケースによって形成された収納室内に可動的に係止されており、前記熱放射防止測定棒の外周にばねがネスティングされており、前記熱放射防止測定棒の末端に金属クランプが取り付けられており、金属クランプが熱放射防止ＮＴＣ温度センサと緊密に掛かり合い、金属クランプが接地用プラグを有しており、接地用プラグが接地線に接続される、マルチ熱放射防止ＮＴＣ温度センサである。
【００１１】
好ましい態様では、前記上ケースは、絶縁材料からなり、その厚さが１０ｍｍより小さく１ｍｍより大きいもの、または、金属材質からなり、その厚さが３ｍｍより小さく０．１ｍｍより大きいものである。
【００１２】
好ましい態様では、前記熱放射防止ＮＴＣ温度センサと上ケースの間に隙間があり、前記隙間は０．１ｍｍより大きく１５ｍｍより小さい。
【００１３】
好ましい態様では、円形状または角形状の磁石ブロックをさらに含み、前記下ケースの内壁に磁石ブロックを固定するための固定溝が設けられており、サーミスタに接続されるリードスイッチをさらに含む。
【００１４】
上記の態様によれば、本発明は、サーミスタが熱放射防止測定棒のキャビティの上壁に密着し、エポキシ樹脂で固定しまたは金属係止具で固定することによって、良い熱伝導効果が確保され、サーミスタが被測定物の温度を速やかに反応できるようにし、また熱放射防止測定棒における温度を測定する金属部品の周囲が射出成形部品によって被包されるため、被測定物が熱放射防止測定棒に押し付けられているときに、ばねが圧縮され、こうして熱放射防止測定棒がばねの弾力によって被測定物の面に密着され、被測定物の周囲の熱源から放射される熱のほとんどが熱放射防止リング（すなわち、金属部品の周囲を被包する射出成形部品）によって遮断されて、サーミスタに対する被測定物の周囲の熱源による放熱の影響が効果的に防止されたという有益な効果を奏することができる。
【００１５】
被測定物が測定棒に押し付けられて、コントロールボードに通知して作動させるシグナルが必要になると、サーミスタとリードスイッチが直列に接続される測定棒が受止片まで圧縮され、磁石とリードスイッチとの距離が短縮され、リードスイッチが導通し、サーミスタの抵抗値が開路から正常値になり、コントロールボードが作動する。
【００１６】
以上は、本発明の態様の概要に過ぎず、本発明の技術手段をより明らかにするために、明細書の内容を参照し実施することができ、また、本発明の上記の目的と他の目的、特徴および利点をわかりやすくさせるために、以下に好ましい実施形態を挙げて、添付図面を合わせて以下に詳細に説明する。
【図面の簡単な説明】
【００１７】
【図１】本発明の第１の実施形態における熱放射防止ＮＴＣ温度センサの断面図である。
【図２】本発明の第２の実施形態における熱放射防止ＮＴＣ温度センサの断面図である。
【図３】本発明の第３の実施形態における熱放射防止ＮＴＣ温度センサの部品分解図である。
【図４】本発明の第４の実施形態における熱放射防止ＮＴＣ温度センサの部品分解図である。
【図５】本発明の第５の実施形態におけるマルチ熱放射防止ＮＴＣ温度センサ（鍋底に使用可能）の断面図である。
【図６】本発明の第６の実施形態におけるマルチ熱放射防止ＮＴＣ温度センサ（鍋底に使用可能）の断面図である。
【図７】本発明の第７の実施形態におけるマルチ熱放射防止ＮＴＣ温度センサ（鍋底に使用可能）の断面図である。
【図８】本発明の第８の実施形態におけるマルチ熱放射防止ＮＴＣ温度センサ（鍋底に使用可能）の断面図である。
【図９】本発明におけるマルチ熱放射防止ＮＴＣ温度センサ（鍋底に使用可能）の分解図である。
【発明を実施するための形態】
【００１８】
なお、本願における実施形態および実施形態における特徴は、矛盾が生じない限り互いに組み合わせることが可能である。以下に、本発明を添付図面を参照して具体的に説明する。
【００１９】
第１の実施形態は、図１に示すように、熱放射防止ＮＴＣ温度センサは、被測定物と面接触する熱放射防止測定棒１を含む。熱放射防止測定棒１の軸線方向にはサーミスタ２を収容するキャビティ１１が設けられており、サーミスタ２は、熱放射防止測定棒１におけるキャビティ１１の上壁に密着し、配線８を介して外部コントロールボードに接続される。
【００２０】
そして、熱放射防止測定棒１は金属部品１８と射出成形部品１７とを含み、金属部品１８は射出成形部品の中心に嵌め込み、金属部品１８の上端面と射出成形部品１７の上端面は、同一面に位置する。金属部品１８は、ステンレス、鉄、銅、アルミニウムまたは合金材料からなり、射出成形部品１７は、プラスチック、セラミックス、ベークライト、絶縁板またはガラス材料からなる。
【００２１】
熱放射防止測定棒１は、センサ位置を固定し、ばねの動き範囲を制限するためのストップリング７をさらに含み、ばねの動き範囲を制限するためのストップリング７は、プラスチック、セラミックス、ベークライト、絶縁板またはガラスからなり、主にばねの更なる上方に移動する位置を制限する。熱放射防止測定棒の測温面の直径は、４０ｍｍより小さく３ｍｍより大きい。
【００２２】
測定棒１における温度を測定する金属部品１８の周囲は射出成形部品１７によって被包されるため、温度を測定するときに、被測定物が熱放射防止測定棒１に押し付けられ、被測定物の周囲の熱源から放射された熱のほとんどが金属部品１８の周囲を被包する射出成形部品によって遮断され、サーミスタでの温度測定に対する被測定物の周囲の熱源から放射された熱の影響が効果的に防止されている。
【００２３】
第２の実施形態は、図２に示すように、マルチ熱放射防止ＮＴＣ温度センサ（鍋底に使用可能）は、被測定物と面接触する熱放射防止測定棒１を含む。熱放射防止測定棒１の軸線方向にはサーミスタ２を収容するキャビティ１１が設けられており、サーミスタ２は、熱放射防止測定棒１のキャビティ１１の上壁に密着し、配線８を介して外部コントロールボードに接続され、その射出成形部品１７の末端にはねじ山１９を有する。
【００２４】
そして、熱放射防止測定棒１は金属部品１８と射出成形部品１７とを含み、金属部品１８は射出成形部品の中心に嵌め込む。そのうち、金属部品が上方に位置し、射出成形部品１７が下方に位置することによって、１つの金属面が形成されている。金属部品１８は、ステンレス、鉄、銅、アルミニウムまたは合金材料からなり、射出成形部品１７は、プラスチック、セラミックス、ベークライト、絶縁板またはガラス材料からなる。熱放射防止測定棒の測温面の直径は４０ｍｍより小さく３ｍｍより大きい。金属部品の上端面の厚さは０ｍｍより大きく４ｍｍより小さい。
【００２５】
取り付けのとき、被測定物の底部の穴にマルチ熱放射防止ＮＴＣ温度センサ（鍋底に使用可能）を通し、金属部品１８の上端が被測定物の底部の穴に引っ掛かって、ナットを用いて締め付ける。金属部品１８の他の部分が射出成形部品１７によって被包されているため、温度を測定するときに、熱放射防止ＮＴＣ温度センサの測温面が被測定物の温度を直接的に感受できるとともに、温度測定に対する被測定物の周囲の発熱源からの放射影響が熱放射防止リングによって遮断される。
【００２６】
第３の実施形態は、図３に示すように、熱放射防止ＮＴＣ温度センサは、熱放射防止測定棒１と、金属上蓋２１と、絶縁ゴムパッド２２と、外部コントロールボードに接続されるサーミスタ２とを含む。熱放射防止測定棒１は左部分１Ａと右部分１Ｂとを含み、左部分１Ａと右部分１Ｂは係止具によって結合される。熱放射防止測定棒１内にキャビティが設けられ、キャビティ内に絶縁ゴムパッド２２を貼り付け絶縁ゴムパッド２２がサーミスタ２の形状に従って型開きして形成され、金属上蓋２１の内側に絶縁フィルム２４が貼り付けられており、サーミスタ２と熱放射防止測定棒１を締め付ける。
【００２７】
本実施形態では、サーミスタ２が絶縁ゴムパッド２２内に固定されてから、金属上蓋２１と熱放射防止測定棒１が係止具２５によって固着される。
【００２８】
金属上蓋２１内に２層の絶縁フィルム２４が設けられていることは、安全のためである。サーミスタ２に高圧が接続される際に、２層の絶縁フィルム２４のそれぞれが１７５０Ｖまでの高電圧を耐えることができるため、強化絶縁の要求に達している。このようにして、いつでも金属上蓋２１が高電圧に接続されることを避けることができる。それと同時に、金属上蓋２１の長さを制御することによって、サーミスタ２に対する外部の反応速度を低下させることができる。
【００２９】
熱放射防止測定棒１と絶縁ゴムパッド２２とサーミスタ２は金属上蓋２１によって結合されると、絶縁ゴムパッド２２がサーミスタ２に緩衝作用を奏することによって、サーミスタ２が破砕されないことを保証できる。
【００３０】
第４の実施形態は、図４に示すように、熱放射防止ＮＴＣ温度センサは、熱放射防止測定棒１と、金属上蓋２１と、絶縁ゴムパッド２２と、外部コントロールボードに接続されるサーミスタ２とを含む。熱放射防止測定棒１は左部分１Ａと右部分１Ｂとを含み、左部分１Ａと右部分１Ｂは係止具によって結合される。熱放射防止測定棒１内にキャビティが設けられ、キャビティ内に絶縁ゴムパッド２２を貼り付け、絶縁ゴムパッド２２にはサーミスタ２を収容するための溝が設けられており、金属上蓋２１の内側に絶縁体２３が貼り付けられており、その後、金属上蓋２１とサーミスタ２の内蔵された熱放射防止測定棒１とを締め付ける。
【００３１】
本実施形態では、サーミスタ２が絶縁ゴムパッド２２内に固定されてから、金属上蓋２１と熱放射防止測定棒１が係止具２５によって固着される。
【００３２】
金属上蓋２１内に２ｍｍの単層絶縁体が設けられているのは、安全のためである。サーミスタ２に高圧が接続される際に、２ｍｍの単層絶縁体が３５００Ｖまでの高電圧を耐えることができる。このようにして、いつでも金属上蓋２１が高電圧に接続されることを避けることができる。それと同時に、金属上蓋２１の長さを制御することによって、サーミスタ２に対する外部の反応速度を低下させることができる。
【００３３】
熱放射防止測定棒１と絶縁ゴムパッド２２とサーミスタ２は金属上蓋２１によって結合されると、絶縁ゴムパッド２２がサーミスタ２に緩衝作用を奏することによって、サーミスタ２が破砕されないことを保証できる。
【００３４】
第５の実施形態は、図５に示すように、マルチ熱放射防止ＮＴＣ温度センサ（鍋底に使用可能）は、被測定物と面接触する測定棒１と、上ケース３と、下ケース４と、圧縮ばね６とを含む。測定棒１は周方向に設けられ、ばねの動き範囲を制限するためのストップリング７をさらに含み、測定棒１の軸線方向にはサーミスタ２を収容するキャビティ１１が設けられ、サーミスタ２は、測定棒１の測温面の上壁に密着し、配線８を介して外部測定装置に接続される。測定棒１は、上ケース３と下ケース４によって形成された収納室１２内に係止され、収納室１２内を自由に移動することができる。測定棒１の外周にはばね６がネスティングされており、ばね６は、ばねの動き範囲を制限するためのストップリング７と下ケース４との間に係止される。
【００３５】
温度を測定するときに、測定棒１が被測定物に接触する面は、１つの測温面になり、被測定物が測定棒１の面に押し付けられると、被測定物の重力とばね６の作用で、測定棒１が受止片５に揃えるまで圧縮され、被測定物と緊密に接触する。絶縁材料からなる上ケースの受止片５は金属測定棒１と同一面に位置するため、金属測定棒に対する周囲の熱放射の影響は、絶縁材料からなる上ケースの受止片５によって遮断されている。測定棒と被測定物の面が良好に接触することはばねによって保証され、こうして被測定物の温度は正確に測定される。
【００３６】
本実施形態において、マルチ熱放射防止ＮＴＣ温度センサ（鍋底に使用可能）は、測定棒１の外周に設けられる上ケース３をさらに含み、上ケース３は絶縁材料からなる。測定棒１と上ケース３との間に隙間があり、隙間は０．１ｍｍより大きく、ばねの動き範囲を制限するためのストップリング７の直径１５ｍｍより小さい。上ケース３の厚さは１０ｍｍより小さく１ｍｍより大きい。ばねの動き範囲を制限するためのストップリング７は金属製の環状部材であり、測定棒１と緊密に掛かり合う。
【００３７】
本実施形態において、測定棒１は、金属切削材や鋳造材であり、銅、アルミニウム、鉄または合金材料からなる。
【００３８】
本実施形態において、上ケース３には係止具９が設けられており、下ケース４には位置決め孔１０が設けられており、上ケース３と下ケース４は、係止具９と位置決め孔１０によって着脱可能に接続される。測定棒１の測温面の直径は４０ｍｍより小さく３ｍｍより大きい。
【００３９】
第６の実施形態は、図６に示すように、第５の実施形態との相違点は、サーミスタ２の１つのピンに直列接続されるリードスイッチ１４をさらに含み、下ケース４の内部に係合溝１５が設けられ、係合溝１５に磁石ブロック１６が固定され、測定棒１が金属とプラスチックを金型によって射出成形することにより形成され、ばねの動き範囲を制限するためのストップリング７がプラスチックを射出成形してなるものであり、サーミスタ２が測定棒１のキャビティ１１の上壁と緊密に接触する、ことにある。
【００４０】
マルチ熱放射防止ＮＴＣ温度センサ（鍋底に使用可能）が温度を測定する原理は、以下の通りである。すなわち、サーミスタ２は、エポキシ樹脂によってキャビティ１１内に封止され、その１つのピンがリードスイッチ１４に直列接続され、被測定物の重力の作用で、測定棒１が下へ移動し、測定棒１の下へ移動した過程において、リードスイッチ１４と磁石ブロック１６との距離が短くなり、リードスイッチ１４が開路から閉路になり、このように、被測定物の温度の測定が配線８を介して外部のコントロールボードに伝えられ、温度を測定するときに、上ケースの受止片５は測定棒１と同一面に位置し、金属測定棒に対する周囲の熱放射の影響は絶縁材料からなる上ケースの受止片５によって遮断されている。測定棒と被測定物の面が良好に接触することはばね６によって保証され、こうして被測定物の温度は正確に測定される。
【００４１】
本実施形態において、ばねの動き範囲を制限するためのストップリング７は、セラミックスをダイキャストしてなるもの、またはプラスチックを射出成形してなるものであり、測定棒１は、金属とプラスチックやガラスを金型によって射出成形することにより形成される。同様に、測定棒１は、金属切削材とプラスチック、ベークライト、絶縁板を緊密に掛かり合って組み合わせてなるものであってもよい。
【００４２】
本実施例において、測定棒１と上ケース３との間に隙間があり、隙間は０．１ｍｍより大きく、ばねの動き範囲を制限するためのストップリング７の直径１５ｍｍより小さく、上ケース３は絶縁材料からなり、厚さが１０ｍｍより小さく１ｍｍより大きい。ばねの動き範囲を制限するためのストップリング７は金属製の環状部材であり、測定棒１と緊密に掛かり合う。
【００４３】
本実施形態において、上ケース３には係止具９が設けられており、下ケース４には位置決め孔１０が設けられており、上ケース３と下ケース４は、係止具９と位置決め孔１０によって着脱可能に接続される。測定棒１の測温面の直径は４０ｍｍより小さく３ｍｍより大きい。測定棒１の下端には接地線１３が設けられている。
【００４４】
第７の実施形態は、図７に示すように、第５の実施形態との相違点は、上ケース３と下ケース４が金属部品料からなる、ことにある。
【００４５】
本実施例において、上ケース３が金属部品料からなり、熱放射防止測定棒１が金属部品１８と射出成形部品１７とを含み、金属部品１８の周囲が射出成形部品１７によって被包されるため、被測定物が熱放射防止測定棒１に押し付けられるときに、測定棒１と被測定物の面が良好に接触することはばね６によって保証され、こうして被測定物の温度は正確に測定される。
【００４６】
マルチ熱放射防止ＮＴＣ温度センサ（鍋底に使用可能）が温度を測定する原理は、以下の通りである。すなわち、図７Ａに示すように、マルチ熱放射防止ＮＴＣ温度センサ（鍋底に使用可能）が発熱プレートに固定されるときに、下ケース４は被測定物のケースに接続され、すなわち、接地線に接続される。熱放射防止測定棒１における接地用プラグ付き金属クランプ１３は、熱放射防止測定棒１の末端に取り付けられている。鍋が熱放射防止測定棒１に押し付けられていないときに、金属クランプ１３と下ケース４は互いに接触して導通する。これは、金属クランプ１３の接地用プラグが接地線に接続されることで、サーミスタ２の入力端と金属クランプ１３が接続され、金属クランプ１３と下ケース４が接続され、下ケース４と接地線に接続されるようにして、サーミスタ２を電気的に短絡させて接地に接続させるためである。鍋が熱放射防止測定棒１に押し付けられているときに、ばね６が下へ押し付けられることで熱放射防止測定棒１が下へ押し付けられて、金属クランプ１３と下ケース４が分離し、短絡が自動的に解除され、サーミスタ２の抵抗値を正常に測定することができる。
【００４７】
本実施形態において、上ケース３には係止具９が設けられており、下ケース４には位置決め孔１０が設けられており、上ケース３と下ケース４は、係止具９と位置決め孔１０によって着脱可能に接続される。熱放射防止測定棒１の測温面の直径は４０ｍｍより小さく３ｍｍより大きく、金属上ケース３の厚さは３ｍｍより小さく０．１ｍｍより大きい。熱放射防止測定棒１と金属上ケース３との間に隙間があり、隙間は０．１ｍｍより大きく、ばねの動き範囲を制限するためのストップリング７の直径１５ｍｍより小さい。
【００４８】
本実施形態において、熱放射防止測定棒１は金属部品１８と射出成形部品１７とを含み、熱放射防止測定棒１は金属部品１８と射出成形部品１７を金型によって緊密に掛かり合うことで形成されるものであり、ばねの動き範囲を制限するためのストップリング７はセラミックスをダイキャストしてなるものである。同様に、熱放射防止測定棒１は、金属切削材とベークライトや絶縁板を緊密に掛かり合って組み合わせてなるもの、または金属とプラスチックやセラミックスやガラスを金型で射出成形することにより形成されるものであってもよい。
【００４９】
第８の実施形態は、図８に示すように、第７の実施形態との相違点は、上ケース３が絶縁材料からなり、下ケースが金属部品料からなる、ことにある。
【００５０】
上ケース３は絶縁材料からなり、測定棒１における温度を測定する金属部品１８の周囲は射出成形部品１７によって被包される。被測定物が熱放射防止測定棒１に押し付けられるときに、受止片５は熱放射防止測定棒１の測温面と同一面に位置するため、熱放射防止測定棒１に対する周囲の熱放射の影響は上ケース３と受止片５によって遮断されている。熱放射防止測定棒１自身も熱放射防止機能を有するため、周囲の熱放射が２回遮断される。熱放射防止測定棒１と被測定物の面が良好に接触することはばね６によって保証され、こうして被測定物の温度は正確に測定される。
【００５１】
マルチ熱放射防止ＮＴＣ温度センサ（鍋底に使用可能）が温度を測定する原理は、以下の通りである。すなわち、図８に示すように、マルチ熱放射防止ＮＴＣ温度センサ（鍋底に使用可能）が発熱プレートに固定されるときに、下ケース４は被測定物のケースに接続され、すなわち、接地線に接続される。熱放射防止測定棒１における接地用プラグ付き金属クランプ１３は熱放射防止測定棒１の末端に取り付けられている。鍋が熱放射防止測定棒１に押し付けられていないときに、金属クランプ１３と下ケース４はそのまま互いに接触して導通する。こうして、サーミスタ２の入力端と金属クランプ１３が接続され、金属クランプ１３と下ケース４が接続され、下ケース４と接地線に接続されるようにして、サーミスタ２を電気的に短絡させて接地に接続させる。鍋が熱放射防止測定棒１に押し付けられているときに、ばね６が下へ押し付けられることで熱放射防止測定棒１が下へ押し付けられて、金属クランプ１３と下ケース４が分離し、短絡が自動的に解除され、サーミスタ２の抵抗値を正常に測定することができる。
【００５２】
本実施形態において、熱放射防止測定棒１は金属とセラミックスをダイキャストしてなるものであり、ばねの動き範囲を制限するためのストップリング７はセラミックスをダイキャストしてなるもの、またはプラスチックを射出成形してなるものである。同様に、熱放射防止測定棒１は、金属切削材とベークライトや絶縁板を緊密に掛かり合って組み合わせてなるもの、または金属とプラスチックやガラスを金型で射出成形することにより形成されるものであってもよい。
【００５３】
本実施形態において、上ケース３には係止具９が設けられており、下ケース４には位置決め孔１０が設けられており、上ケース３と下ケース４は、係止具９と位置決め孔１０によって着脱可能に接続される。熱放射防止測定棒１の測温面の直径は４０ｍｍより小さく３ｍｍより大きい。上ケース３は、絶縁材料からなり、厚さが１０ｍｍより小さく１ｍｍより大きい。熱放射防止測定棒１と金属上ケース３との間に隙間があり、隙間は０．１ｍｍより大きく、ばねの動き範囲を制限するためのストップリング７の直径１５ｍｍより小さい。
【００５４】
図９は、マルチ熱放射防止ＮＴＣ温度センサ（鍋底に使用可能）の分解図であり、熱放射防止測定棒１と、サーミスタ２と、上ケース３と、下ケース４と、受止片５と、ばね６と、配線８と、係止具９と、位置決め孔１０とを含む。
【００５５】
以上は、本発明の具体的な実施形態であり、当業者にとっては、本発明の原理を逸脱しない範囲でさまざまな変更や改良ができることは明らかであり、これらの変更や改良も、当然に本発明の保護範囲に属するものと言うまでもない。
【符号の説明】
【００５６】
１  測定棒（熱放射防止測定棒、金属測定棒）
１Ａ  左部分
１Ｂ  右部分
２  サーミスタ
３  上ケース（金属上ケース）
４  下ケース
５  受止片
７  ストップリング
８  配線
９  係止具
１０  孔
１１  キャビティ
１２  収納室
１３  金属クランプ
１４  リードスイッチ
１５  係合溝（固定溝）
１６  磁石ブロック
１７  射出成形部品
１８  金属部品
１９  山
２１  金属上蓋
２２  断熱ゴムパッド
２３  電気絶縁体
２４  電気絶縁フィルム
２５  係止具
【図１】
0006743012.tif 000002
【図２】
0006743012.tif 000003
【図３】
0006743012.tif 000004
【図４】
0006743012.tif 000005
【図５】
0006743012.tif 000006
【図６】
0006743012.tif 000007
【図７】
0006743012.tif 000008
【図８】
0006743012.tif 000009
【図９】
0006743012.tif 000010